(57)【要約】【課題】記録装置の内部で発生した騒音を記録装置の内部において効果的に低減させることができる記録装置を提供する。【解決手段】記録装置１１は、記録用紙Ｐに記録を施す際に騒音を発生する騒音源を内部に収容した本体ケース１６に、該本体ケース１６の内部と外部を連通する連通孔３０と、本体ケース１６の外面側において連通孔３０を包囲するように環状に突設された脚部２７と、を備え、脚部２７における環状の先端縁を載置面ＩＳに当接させることにより、連通孔３０を介して本体ケース１６の内部に連通する共鳴空間を、載置面ＩＳと脚部２７と本体ケース１６の外面とで囲み形成する。【選択図】図２
2011161790.tif 000002
【特許請求の範囲】
【請求項１】
記録媒体に記録を施す際に騒音を発生する騒音源を内部に収容した本体ケースに、該本体ケースの内部と外部を連通する連通孔と、
前記本体ケースの外面側において前記連通孔を包囲するように環状に突設された環状凸部と、
を備え、
前記環状凸部における環状の先端縁を他部材に当接させることにより、前記連通孔を介して前記本体ケースの内部に連通する共鳴空間を、前記他部材と前記環状凸部と前記本体ケースの外面とで囲み形成する
ことを特徴とする記録装置。
【請求項２】
前記連通孔は前記本体ケースの底壁部に形成されると共に、前記環状凸部の前記環状の先端縁は前記本体ケースが前記他部材における記録装置の載置面上に載置されたときに該載置面に当接する
ことを特徴とする請求項１に記載の記録装置。
【請求項３】
前記本体ケース内から前記本体ケース外に向けて搬送される途中の前記記録媒体を支持可能な支持面を有する支持部材を前記本体ケース内における前記連通孔の上方位置に配置し、前記支持部材には前記連通孔側の面と前記支持面とに開口する貫通孔が形成されていることを特徴とする請求項２に記載の記録装置。
【請求項４】
前記本体ケースに形成された前記連通孔と前記支持部材に形成された前記貫通孔を連結する連結管をさらに備えたことを特徴とする請求項３に記載の記録装置。
【請求項５】
前記環状凸部は独立気泡構造の発泡材からなることを特徴とする請求項１〜請求項４のいずれか一項に記載の記録装置。
【請求項６】
前記本体ケースの内面側及び外面側の何れかに前記連通孔の開口を覆蓋するように連続気泡構造の発泡材を取着することを特徴とする請求項１〜請求項５のいずれか一項に記載の記録装置。
【発明の詳細な説明】
【技術分野】
【０００１】
本発明は、記録装置に関する。
【背景技術】
【０００２】
従来から、記録媒体に印刷などの記録処理を施す記録装置として、例えばインクを記録用紙（記録媒体）に噴射するインクジェット式記録装置が広く知られている。こうした記録装置では、例えば記録用紙の搬送機構や記録機構などが作動時に騒音を放出するため、近時は様々な騒音抑制策を施した記録装置が提案されている（例えば、特許文献１）。
【０００３】
特許文献１の記録装置では、搬送機構等の騒音源を内部に収容した本体ケースの底壁に通気口が形成されると共に、その本体ケースの底壁外面側には通気口を包囲するように環状をなす吸音材シートが設けられている。また、この本体ケースの底壁外面側において吸音材シートの外周側には、吸音材シートよりも大きな環状をなす遮音壁が吸音材シートを包囲するように形成されている。
【０００４】
すなわち、特許文献１の記録装置では、本体ケースがテーブルなどの設置面上に設置されると、その設置面に対して各々環状をなす吸音材シートの下端縁及び遮音壁の下端縁が密接することになる。そして、本体ケースの底壁外面側（すなわち、本体ケース外）における吸音材シートの内周側には、本体ケース内から通気口を介して騒音が放出されるケース外空間部が囲み形成されると共に、同じく本体ケースの底壁外面側における吸音材シートと遮音壁との間には環状の密閉空間が囲み形成されるようになる。そのため、この特許文献１の記録装置では、本体ケース内からケース外空間部に騒音が放出されたとしても、そのケース外空間部は吸音材シート、密閉空間及び遮音壁により三重に包囲されているため、そのケース外空間部から遮音壁よりも外側の外部空間（大気中）に騒音が漏れ出ることが抑制されるようになっていた。
【先行技術文献】
【特許文献】
【０００５】
【特許文献１】特開平７−４７７４９号公報
【発明の概要】
【発明が解決しようとする課題】
【０００６】
ところで、特許文献１の記録装置における静音構造では、記録装置の本体ケース外で吸音材シートの内周側に囲み形成されたケース外空間部に本体ケース内から騒音が放出された後、その騒音が更にケース外空間部から遮音壁よりも外側の外部空間（大気中）に漏れ出ようとするのを抑制する構造となっている。すなわち、この特許文献１の記録装置における静音構造は、記録装置内から記録装置外に放出された後における騒音の低減を図るものであって、記録装置の内部で発生した騒音を記録装置の内部において効果的に低減させることはできなかった。
【０００７】
本発明は、上記のような実情に鑑みてなされたものであり、その目的は、記録装置の内部で発生した騒音を記録装置の内部において効果的に低減させることができる記録装置を提供することにある。
【課題を解決するための手段】
【０００８】
上記目的を達成するために、本発明の記録装置は、記録媒体に記録を施す際に騒音を発生する騒音源を内部に収容した本体ケースに、該本体ケースの内部と外部を連通する連通孔と、前記本体ケースの外面側において前記連通孔を包囲するように環状に突設された環状凸部と、を備え、前記環状凸部における環状の先端縁を他部材に当接させることにより、前記連通孔を介して前記本体ケースの内部に連通する共鳴空間を、前記他部材と前記環状凸部と前記本体ケースの外面とで囲み形成する。
【０００９】
この構成によれば、騒音源を収容した本体ケースの内部において発生した騒音を、連通孔を介して本体ケースの内側と連通する本体ケースの外面側に形成された共鳴空間により減音することができる。したがって、記録装置の内部で発生した特定周波数付近の騒音を、記録装置の内部において効果的に低減することができる。
【００１０】
また、本発明の記録装置において、前記連通孔は前記本体ケースの底壁部に形成されると共に、前記環状凸部の前記環状の先端縁は前記本体ケースが前記他部材における記録装置の載置面上に載置されたときに該載置面に当接する。
【００１１】
この構成によれば、記録装置の本体ケースを載置面に載置させることにより、記録装置と載置面の間に共鳴空間を形成することができる。したがって、記録装置の内部で発生した特定周波数付近の騒音を、形成された共鳴空間により効果的に低減することができる。
【００１２】
また、本発明の記録装置は、前記本体ケース内から前記本体ケース外に向けて搬送される途中の前記記録媒体を支持可能な支持面を有する支持部材を前記本体ケース内における前記連通孔の上方位置に配置し、前記支持部材には前記連通孔側の面と前記支持面とに開口する貫通孔が形成されている。
【００１３】
この構成によれば、記録媒体が支持部材の支持面を摺動するときに、該支持面上で発生した騒音は、貫通孔により連通孔の開口側に誘導されるため、記録装置の内部で発生した騒音の拡散を抑制することができる。
【００１４】
また、本発明の記録装置は、前記本体ケースに形成された前記連通孔と前記支持部材に形成された前記貫通孔を連結する連結管をさらに備えている。
この構成によれば、支持部材にて発生した騒音を、記録装置の外面側に形成された共鳴空間に誘導することができるため、騒音の拡散を抑制して効果的に騒音を低減することができる。
【００１５】
また、本発明の記録装置において、前記環状凸部は独立気泡構造の発泡材からなる。
この構成によれば、環状凸部材は遮音性が高くなるため、共鳴空間から外部空間（大気中）への騒音の拡散を抑制することができる。
【００１６】
また、本発明の記録装置は、前記本体ケースの内面側及び外面側の何れかに前記連通孔を覆蓋するように連続気泡構造の発泡材を取着する。
この構成によれば、連続気泡構造の発泡材により、記録装置内で発生した騒音が連通孔を通過するときに、全周波数領域の騒音が吸音される。したがって、特定周波数付近以外の騒音を効果的に低減することができる。
【図面の簡単な説明】
【００１７】
【図１】本実施形態における記録装置の斜視図。
【図２】記録装置の概略正断面図。
【図３】記録装置のプラテン及び底壁部の部分の分解斜視図。
【図４】記録装置における騒音の移動を示す説明図。
【発明を実施するための形態】
【００１８】
以下、本発明を記録装置の一種であるインクジェット式記録装置に具体化した実施形態を図１及び図２に従って説明する。なお、本実施形態のインクジェット式記録装置（以下、「記録装置」と略記する）１１は、印刷処理（記録処理）と原稿に記載された画像（テキストや図形等の原稿内容）を読み取り、それぞれの画像に対応する形式の電子データを生成する画像読取処理を実行可能な複合機である。
【００１９】
図１に示すように、記録装置１１は、その下部に印刷処理を行うプリンター部１２を備えると共に、その上部に画像読取処理を行う画像読取部としてのスキャナー部１３を備えている。プリンター部１２は樹脂材料からなる有底略箱体形状の下部ケース１４を有する一方、スキャナー部１３は下部ケース１４よりも上下方向の寸法が小さい樹脂材料からなる有底略箱体形状の上部ケース１５を有している。上部ケース１５の上面には、四角板状の透明ガラスが組み込まれた原稿台１５ａが設けられているとともに、原稿台１５ａを覆うカバー１５ｂが設けられている。そして、下部ケース１４の上側に上部ケース１５が積み重ねられることにより、記録装置１１の外郭形状を規定する本体ケース１６が構成されている。
【００２０】
また、記録装置１１における本体ケース１６の後面（図２では右面）側には、記録媒体としての記録用紙Ｐが積層状態でセットされるサポート１７ａを有する自動給紙機構１７が設けられている。そして、本体ケース１６の前面側において、その上部には操作パネル１８が設けられるとともに、その下部には本体ケース１６内から本体ケース１６外に排出される記録用紙Ｐを支持可能な排紙部１９ａを有する排紙口１９が開口している。
【００２１】
図２に示すように、下部ケース１４は該下部ケース１４の底壁を形成する底壁部２０と、側壁を形成する側壁部２１により構成されている。底壁部２０の上面２０ａには、記録を施されるために搬送される記録用紙Ｐを下方から支持する支持面２２ａを有した支持部材としてのプラテン２２が設けられている。プラテン２２の支持面２２ａ上には、図示しない紙送りモーターの駆動に基づきプラテン２２よりも記録用紙Ｐの搬送方向における上流側となる位置に設けられた上流側ローラー２３ａが回転することにより、記録用紙Ｐが一枚ずつ後方側から図示しない給紙口を通過して給紙されるようになっている。そして、上流側ローラー２３ａの回転によってプラテン２２の支持面２２ａ上に給紙された記録用紙Ｐは、プラテン２２よりも記録用紙Ｐの搬送方向の下流側に設けられた下流側ローラー２３ｂの回転に伴って前方に搬送されることにより、排紙口１９から記録装置１１外に排紙されるようになっている。
【００２２】
また、プラテン２２の上方には、記録用紙Ｐの搬送方向と直交する左右方向に延びるガイド軸２４が架設されている。ガイド軸２４にはキャリッジ２５が、ガイド軸２４の軸線方向に沿って往復移動可能に支持されている。そして、キャリッジ２５は、例えば駆動モーター及び駆動ベルトなどによって構成される図示しない駆動機構によって、ガイド軸２４の軸線方向に沿って往復移動される。また、キャリッジ２５の下面には、記録用紙Ｐに向かってインクを噴射する記録ヘッド２６が設けられている。
【００２３】
また、底壁部２０の底面２０ｂには、記録装置１１を机等の他部材Ｔの上面からなる載置面ＩＳへ載置するために、底面２０ｂの外縁に沿って独立気泡構造を有する発泡材からなる環状の環状凸部としての脚部２７が底面２０ｂと交差する方向に突設されている。そして、記録装置１１が載置面ＩＳに載置されると、その載置面ＩＳに対して環状をなす脚部２７の下端縁が密接するため、底面２０ｂと載置面ＩＳとの間の空間は脚部２７により外部から封印された状態となる。すなわち、底面２０ｂと載置面ＩＳと脚部２７により、独立したケース外空間部２８が形成される。
【００２４】
さらに、図２に示すように、底壁部２０においてプラテン２２が配置されている領域部分には、プリンター部１２の内部になる収容空間部２９と、プリンター部１２の外側に形成されたケース外空間部２８とを連通する断面円形状の複数（図２では３つ図示）の連通孔３０が規則的に配列されて形成されている。すなわち、連通孔３０は底壁部２０において収容空間部２９側となる上面２０ａ側及びケース外空間部２８側となる底面２０ｂがわにそれぞれ開口するように形成される。そして、各連通孔３０は、ケース外空間部２８を共鳴空間とする共鳴現象により特定周波数領域の騒音を減音する機能を有する。
【００２５】
すなわち、本実施形態では、ガイド軸２４に沿って往復移動する際に摺動音を発生するキャリッジ２５や、搬送される記録用紙Ｐを支持面２２ａに摺接させることにより摺動音（紙送り音）を発生するプラテン２２などが騒音源とされる。そして、連通孔３０とケース外空間部２８とにより、ケース外空間部２８を背後空気層とした共鳴器が形成され、収容空間部２９内で発生した特定周波数付近の騒音が減音されるようになっている。なお、底壁部２０に形成された複数の連通孔３０の開口径は全て等しくなっている。そして、連通孔３０の形状は、減音させたい騒音の特定周波数に基づいて下記の式により算出される。
【００２６】
ｆ＝（ｃ／２π）√Ｓ／Ｖ・Ｌ
ここで、ｆは減音させたい騒音の周波数、ｃは音速、Ｓは各連通孔３０の開口断面積、Ｖは連通孔３０の背後空気層（ケース外空間部２８）の容積、Ｌは底壁部２０の厚さである。例えば、本実施形態では、減音させたい騒音である記録用紙Ｐの搬送に伴い発生する記録用紙Ｐの摺動音の周波数に基づいて連通孔３０の形状が算出される。
【００２７】
また、底壁部２０における連通孔３０のケース外空間部２８側の開口は、グラスウールなどの繊維系やポリウレタンフォームなどの連続気泡構造を有する発泡材からなり全周波数領域の騒音を吸収する吸音材３１により覆蓋されている。吸音材３１は、その寸法が底壁部２０における連通孔３０が形成された領域の寸法に対応しており、その領域上に載置された状態では、全ての連通孔３０の開口を覆うようになっている。
【００２８】
次に、プラテン２２の構造について図３に基づき以下説明する。
図３に示すように、プラテン２２において底壁部２０に形成された連通孔３０と対応する位置には、該プラテン２２を厚み方向に貫通する複数の貫通孔３２が形成されている。すなわち、貫通孔３２はプラテン２２において支持面２２ａ及び底壁部２０の上面２０ａと対向する側となる下面側にそれぞれ開口するように形成されている。なお、各貫通孔３２の開口径は、支持面２２ａ側及び下面側で等しくなっているとともに、対応する各連通孔３０の開口径と等しくなっている。
【００２９】
そして、プラテン２２と底壁部２０の上面２０ａとの間には、各連通孔３０と各連通孔３０に対応する各貫通孔３２とを連結する複数の連結管３３が設けられている。すなわち、内部が中空状に形成された各連結管３３は、その一端がプラテン２２の下面側に形成された貫通孔３２の開口と結合するとともに、他端が連通孔３０の底壁部の上面２０ａに形成された各貫通孔３２に対応する連通孔３０の開口と結合している。また、各連結管３３の流路断面積は、各連通孔及び各連通孔３０に対応する貫通孔３２の開口断面積と同じになるように構成されている。
【００３０】
次に、以上のように構成された記録装置１１の作用について、特に記録装置１１の内部において発生する騒音を抑制する際の作用について、図４に従って説明する。
さて、例えば本体ケース１６の内部であるプリンター部１２において印刷が開始されると、自動給紙機構１７が駆動してサポート１７ａから記録用紙Ｐが送り出されるとともに、サポート１７ａから送り出された記録用紙Ｐは上流側ローラー２３ａの回転に伴ってプラテン２２上の印刷位置に搬送される。このとき、プリンター部１２の内部空間である収容空間部２９では、図示しない紙送りモーターの駆動音やプラテン２２の支持面２２ａに記録用紙Ｐが摺接することによる摺接音等の騒音が発生する。そして次に、プラテン２２上の印刷位置に搬送された記録用紙Ｐに対して、キャリッジ２５がガイド軸２４に沿って往復移動しながらインクを噴射して印刷が行われる。このとき、キャリッジモーターの駆動音や記録用紙Ｐとプラテン２２との摺接音及びキャリッジ２５の移動の移動に伴う摺動音などの騒音が発生する。そして、記録用紙Ｐへの印刷が終了すると、記録用紙Ｐは排紙口１９に搬送されるとともに、排紙口１９から記録装置１１外に排出される。このとき、プリンター部１２では、図示しない紙送りモーターの駆動音や記録用紙Ｐのプラテン２２に対する摺接音等の騒音が発生する。
【００３１】
このように、記録装置１１において印刷処理が行われる際には、収容空間部２９において様々な騒音が発生する。そして、印刷処理時に収容空間部２９で発生した騒音は、伝播して収容空間部２９内を拡散する。このとき、特に記録用紙Ｐがプラテン２２の支持面２２ａを摺接することにより発生した摺接音は、プラテン２２に形成された複数の貫通孔３２により、各貫通孔３２の内部に誘導される。そのため、プラテン２２から排紙口１９に向かう騒音の拡散が抑制される。
【００３２】
プラテン２２の貫通孔３２内に誘導された騒音は、貫通孔３２内及び貫通孔３２に連結された連結管３３内を通過する。そして、騒音はプリンター部１２の底壁部２０に形成された連通孔３０に到達すると、該連通孔３０の上側の開口からと連通孔３０の内部に進入する。連通孔３０では、該連通孔３０内で音が共鳴して摩擦が生じるため、連通孔３０内の空気が激しく振動する。そして、連通孔３０内で特定周波数付近の音が熱エネルギーに変換されて減音される。
【００３３】
そして次に、連通孔３０により減音されなかった特定周波数付近以外の周波数の騒音は、連通孔３０を通過した後、連通孔３０のケース外空間部２８側となる下側の開口を覆蓋する吸音材３１により吸音される。
【００３４】
さらに、連通孔３０及び吸音材３１により減音及び吸音されなかった騒音は、ケース外空間部２８内の吸音材３１に対向する載置面ＩＳの方向へ種々の角度を持って放出される。例えば、脚部２７に向かって放出された騒音は、透過率の低い脚部２７に到達すると反射されて載置面ＩＳの方向へ向かう。また、載置面ＩＳに向かって放出された騒音は、載置面ＩＳに到達すると反射して吸音材３１に向かって戻る。そして、反射した騒音は再び吸音材３１により吸音されるため、騒音がプリンター部１２内に再進入するのを抑制される。このように、ケース外空間部２８内に放出された騒音は、底面２０ｂと脚部２７と載置面ＩＳとへの反射を繰り返すため、次第に減衰していく。
【００３５】
上記実施形態によれば、以下のような効果を得ることができる。
（１）本実施形態の記録装置１１では、プリンター部１２の内部で発生した騒音は、本体ケース１６に形成された連通孔３０と、連通孔３０を介して本体ケース１６の内側と連通する本体ケース１６の外面側に形成されたケース外空間部２８により特定周波数付近の騒音が減音される。したがって、記録装置１１の内部で発生した特定周波数付近の騒音を、記録装置の内部において効果的に低減することができる。
【００３６】
（２）本実施形態の記録装置１１では、記録装置１１をテーブルなどの他部材Ｔの載置面ＩＳに載置した場合に、記録装置１１における底壁部２０の底面２０ｂに設けられた脚部２７により、記録装置１１と載置面ＩＳとの間に共鳴空間となるケース外空間部２８を形成することができる。したがって、記録装置１１の内部で発生した特定周波数付近の騒音を、ケース外空間部２８により形成された共鳴空間により効果的に低減することができる。
【００３７】
（３）本実施形態の記録装置１１では、記録用紙Ｐがプラテン２２の支持面２２ａを摺動するときに、支持面２２ａ上で発生した騒音は、貫通孔３２及び連結管３３を通過して連通孔３０における上面２０ａ側の開口に誘導される。そのため、記録装置１１の内部で発生した騒音、特に記録用紙Ｐがプラテン２２上を搬送されるときに摺接して発生する摺接音が排紙口１９に向かって拡散するのを抑制することができる。
【００３８】
（４）本実施形態の記録装置１１では、共鳴空間となるケース外空間部２８の内部を拡散した騒音を、遮音性が高い脚部２７により反射するため、そのケース外空間部２８から外部空間（大気中）への騒音の拡散を抑制することができる。
【００３９】
（５）本実施形態の記録装置１１では、連通孔３０における底壁部２０の底面２０ｂ側の開口を覆蓋する吸音材３１により、プリンター部１２内部で発生した騒音が連通孔３０を通過するときに全周波数領域の騒音が吸音される。したがって、特定周波数付近以外の騒音を効果的に低減することができる。
【００４０】
なお、上記実施形態は以下のように変更してもよい。
・異なる孔径の連通孔３０を混在して形成してもよい。この場合、共鳴空間となるケース外空間部２８では、特定周波数の音に偏ることなく多周波数領域の騒音を減音することができる。
【００４１】
・底壁部２０において、プラテン２２の下部にあたる領域に連通孔３０を設けたが、環状の脚部２７によって包囲される領域の内部であれば、プラテン２２の下部以外の領域に連通孔３０を設けてもよい。
【００４２】
・吸音材３１を連通孔３０における上面２０ａ側の開口に設けてもよい。また、吸音材３１を連通孔３０の開口に設けなくてもよい。
・脚部２７は独立発泡構造の発泡材以外の材料（例えば硬質ゴムなど）により形成されてもよい。
【００４３】
・各連通孔３０と各貫通孔３２を連結する連結管３３を設けなくてもよい。
・プラテン２２に貫通孔３２を設けなくてもよい。
・連通孔３０及び該連通孔３０を包囲する脚部２７を底壁部２０以外に設けてもよい。
【００４４】
・上記実施形態では、記録装置をインクジェット式記録装置１１に具体化したが、インク以外の他の液体を噴射したり吐出したりする記録装置を採用してもよい。微小量の液滴を吐出させる液体噴射ヘッド等を備える各種の液体噴射装置に流用可能である。なお、液滴とは、上記記録装置から吐出される液体の状態をいい、粒状、涙状、糸状に尾を引くものも含むものとする。また、ここでいう液体とは、記録装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。記録装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散又は溶解のかたちで含む液体を噴射する記録装置、バイオチップ製造に用いられる生体有機物を噴射する記録装置、精密ピペットとして用いられ試料となる液体を噴射する記録装置、捺染装置やマイクロディスペンサ等であってもよい。さらに、時計やカメラ等の精密機械にピンポイントで潤滑油を噴射する記録装置、光通信素子等に用いられる微小半球レンズ（光学レンズ）などを形成するために紫外線硬化樹脂等の透明樹脂液を基板上に噴射する記録装置、基板などをエッチングするために酸又はアルカリ等のエッチング液を噴射する記録装置を採用してもよい。そして、これらのうちいずれか一種の記録装置に本発明を適用することができる。
【符号の説明】
【００４５】
Ｔ…他部材、ＩＳ…載置面、Ｐ…記録媒体としての記録用紙、１１…記録装置、１２…プリンター部、１４…下部ケース、１６…本体ケース、２０…底壁部、２２…支持部材としてのプラテン、２２ａ…支持面、２７…環状凸部材としての脚部、２８…共鳴空間としてのケース外空間部、２９…収容空間部、３０…連通孔、３１…連続気泡構造を有する発泡体としての吸音材、３２…貫通孔、３３…連結管。
【図１】
2011161790.tif 000003
【図２】
2011161790.tif 000004
【図３】
2011161790.tif 000005
【図４】
2011161790.tif 000006